(57)【要約】【課題】眼鏡レンズの明視域についてどのような見え方となるのかをより直観的に把握できるようにする。【解決手段】明視域の距離範囲を示す明視域表示バーを、表示画面に表示させるバー表示部１１３ａと、明視域に関する、眼鏡レンズ装着者の視点から見た正面視の視野範囲を表す第１の画像を、表示画面に表示させる第１の画像表示部１１３ｂと、明視域に関する、眼鏡レンズ装着者の上方から見た平面視の視野範囲を表す第２の画像を、表示画面に表示させる第２の画像表示部１１３ｃと、明視域に関する、眼鏡レンズ装着者の視点から視認可能な高さ方向を側方から表す第３の画像を、表示画面に表示させる第３の画像表示部１１４ｃとを備えることにより、複数種類の表示画像（明視域表示バーおよび第１〜第３の画像）により、レンズ情報に対応する明視域を、様々な観点から視覚的に確認することができるようにする。【選択図】図１
2017198806.tif 000002
【特許請求の範囲】
【請求項１】
眼鏡レンズ装着者の裸眼度数を含む視力情報と、眼鏡レンズのレンズ種類、処方度数、加入度数を含むレンズ情報とに基づいて、当該眼鏡レンズの明視域を算出する明視域算出部と、
前記明視域算出部によって算出された前記明視域をグラフィカルに表示させる明視域表示部とを備え、
前記明視域表示部は、
前記明視域算出部によって算出された前記明視域の距離範囲を示す明視域表示バーを、表示画面に表示させるバー表示部と、
前記明視域算出部によって算出された前記明視域に関する、前記眼鏡レンズ装着者の視点から見た正面視の視野範囲を表す第１の画像を、前記表示画面に表示させる第１の画像表示部と、
前記明視域算出部によって算出された前記明視域に関する、前記眼鏡レンズ装着者の上方から見た平面視の視野範囲を表す第２の画像を、前記表示画面に表示させる第２の画像表示部と、
前記明視域算出部によって算出された前記明視域に関する、前記眼鏡レンズ装着者の視点から視認可能な高さ方向を側方から表す第３の画像を、前記表示画面に表示させる第３の画像表示部と
を備えることを特徴とする明視域表示装置。
【請求項２】
前記明視域算出部によって算出された前記明視域が複数の距離域からなる場合、
前記バー表示部は、前記明視域表示バーを距離域毎に表示属性を異ならせて前記表示画面に表示させ、
前記第１の画像表示部、前記第２の画像表示部、前記第１の画像表示部の各々は、前記第１の画像、前記第２の画像、前記第３の画像の各々を、前記明視域表示バーと同じ表示属性を用いて、距離域毎に表示属性を異ならせて、前記表示画面に表示させる
ことを特徴とする請求項１に記載の明視域表示装置。
【請求項３】
タッチパネルの操作による前記明視域表示バーの位置および長さの少なくともいずれか一方の変更に応じて、当該変更後の明視域表示バーが示す距離範囲に対応するように、前記レンズ情報を変更するレンズ情報変更部
をさらに備えたことを特徴とする請求項１または２に記載の明視域表示装置。
【請求項４】
前記明視域表示バーの遠距離域側の端部がタップ操作の後にスライド操作された場合、
前記バー表示部は、前記明視域表示バーの近距離域側の端部の位置とともに、前記遠距離側の端部の位置を変更し、
前記レンズ情報変更部は、前記遠距離域側の端部の変更後の位置に応じて、前記レンズ情報のうちの処方度数を変更し、
前記明視域表示バーの近距離域側の端部がタップ操作の後にスライド操作された場合、
前記バー表示部は、前記レンズ種類に応じて、前記遠距離側の端部の位置を固定したまま、前記近距離域側の端部の位置を変更するか、または、前記遠距離域側の端部の位置とともに、前記近距離側の端部の位置を変更し、
前記レンズ情報変更部は、前記近距離域側の端部の変更後の位置に応じて、前記レンズ情報のうちの加入度数を変更する
ことを特徴とする請求項３に記載の明視域表示装置。
【請求項５】
前記タッチパネルの操作により、前記レンズ種類が遠近累進レンズである眼鏡レンズの前記明視域表示バーの全長が変更された場合、前記バー表示部は、当該明視域表示バーの遠距離域および近距離域の長さを変更せずに、中距離域の長さを変更し、
前記タッチパネルの操作により、前記レンズ種類が中近累進レンズである眼鏡レンズの前記明視域表示バーの全長が変更された場合、前記バー表示部は、当該明視域表示バーの中距離域の長さを変更せずに、遠距離域および近距離域の長さを変更する
ことを特徴とする請求項３または４に記載の明視域表示装置。
【請求項６】
前記レンズ情報変更部によって前記レンズ情報が変更された場合、
前記明視域算出部は、前記視力情報と、当該変更後のレンズ情報に基づいて明視域を再算出し、
前記第１の画像表示部、前記第２の画像表示部、前記第３の画像表示部の各々は、前記明視域算出部によって再算出された明視域に関する、前記第１の画像、前記第２の画像、前記第３の画像の各々を、前記表示画面に表示させる
ことを特徴とする請求項３から５のいずれか一項に記載の明視域表示装置。
【請求項７】
前記レンズ情報変更部は、前記レンズ情報におけるレンズ種類が遠近両用レンズに変更された場合、前記明視域算出部によって算出される前記明視域の距離範囲の下限値が所定距離となるように、前記レンズ情報における加入度数を変更する
ことを特徴とする請求項３から６のいずれか一項に記載の明視域表示装置。
【請求項８】
前記明視域表示部は、前記明視域算出部によって算出された前記明視域に関する、前記眼鏡レンズ装着者の視点から見た正面視の視野範囲を表すとともに、前記眼鏡レンズ装着者が正面をまっすぐ見たときの視線高さとなる中心位置に、所定のマークを表示した第４の画像を、前記明視域表示バーと同じ表示属性を用いて、距離域毎に表示属性を異ならせて、前記表示画面に表示させる第４の画像表示部をさらに備える
ことを特徴とする請求項２に記載の明視域表示装置。
【請求項９】
明視域表示装置の明視域算出部が、眼鏡レンズ装着者の裸眼度数を含む視力情報と、眼鏡レンズのレンズ種類、処方度数、加入度数を含むレンズ情報とに基づいて、当該眼鏡レンズの明視域を算出する明視域算出工程と、
前記明視域表示装置のの明視域表示部が、前記明視域算出部によって算出された前記明視域をグラフィカルに表示させる明視域表示工程とを含み、
前記明視域表示工程では、
前記明視域表示部のバー表示部が、前記明視域算出部によって算出された前記明視域の距離範囲を示す明視域表示バーを、表示画面に表示させるバー表示工程と、
前記明視域表示部の第１の画像表示部が、前記明視域算出部によって算出された前記明視域に関する、前記眼鏡レンズ装着者の視点から見た正面視の視野範囲を表す第１の画像を、前記表示画面に表示させる第１の画像表示工程と、
前記明視域表示部の第２の画像表示部が、前記明視域算出部によって算出された前記明視域に関する、前記眼鏡レンズ装着者の上方から見た平面視の視野範囲を表す第２の画像を、前記表示画面に表示させる第２の画像表示工程と、
前記明視域表示部の第３の画像表示部が、前記明視域算出部によって算出された前記明視域に関する、前記眼鏡レンズ装着者の視点から視認可能な高さ方向を側方から表す第３の画像を、前記表示画面に表示させる第３の画像表示工程と
を含むことを特徴とする明視域表示方法。
【請求項１０】
眼鏡レンズ装着者の裸眼度数を含む視力情報と、眼鏡レンズのレンズ種類、処方度数、加入度数を含むレンズ情報に基づいて、当該眼鏡レンズの明視域を算出する明視域算出部、
前記明視域算出部によって算出された前記明視域をグラフィカルに表示させる明視域表示部、
前記明視域算出部によって算出された前記明視域の距離範囲を示す明視域表示バーを、表示画面に表示させる前記明視域表示部のバー表示部、
前記明視域算出部によって算出された前記明視域に関する、前記眼鏡レンズ装着者の視点から見た正面視の視野範囲を表す第１の画像を、前記表示画面に表示させる前記明視域表示部の第１の画像表示部、
前記明視域算出部によって算出された前記明視域に関する、前記眼鏡レンズ装着者の上方から見た平面視の視野範囲を表す第２の画像を、前記表示画面に表示させる前記明視域表示部の第２の画像表示部、および、
前記明視域算出部によって算出された前記明視域に関する、前記眼鏡レンズ装着者の視点から視認可能な高さ方向を側方から表す第３の画像を、前記表示画面に表示させる前記明視域表示部の第３の画像表示部
としてコンピュータを機能させるための明視域表示プログラム。
【発明の詳細な説明】
【技術分野】
【０００１】
本発明は、明視域表示装置、明視域表示方法および明視域表示プログラムに関し、特に、眼鏡レンズの明視域を算出してその明視域をグラフィカルに表示して視認できるようになされた明視域表示装置、明視域表示方法および明視域表示プログラムに関する。
【背景技術】
【０００２】
従来、眼鏡レンズのレンズ情報（例えば、処方度数、加入度数）に基づいて、その眼鏡レンズの明視域（よく見える範囲）を算出して、この明視域をグラフィカルに表示して視認できるようにした技術が考案されている。この技術によれば、どの眼鏡レンズを選択すれば、どのような範囲が良く見えるようになるかを、直観的にイメージすることができる。
【０００３】
例えば、下記特許文献１には、自覚検眼により得られた被検眼の遠用矯正度数および加入度に基づいて、複数の矯正レンズ（遠用単焦点レンズ、近用単焦点レンズ、遠近の累進レンズ、中近の累進レンズ、近近の累進レンズ、二重焦点レンズ）により矯正される目の遠点、中間点および近点を求め、その遠点および近点に基づいて各矯正レンズによる明視域を比較可能にグラフィカルに表示する技術が開示されている。例えば、下記特許文献１には、中間点から遠点までの領域と中間点から近点までの領域とに異なる色を用いて、明視域の距離範囲をグラフ表示したり、明視域の視野範囲（距離範囲および横幅）を平面図上に表示したりする技術が開示されている。
【０００４】
また、下記特許文献２には、レンズの部位に応じた屈折特性と、眼鏡レンズ装用者の目の特性とを含む情報に基づき、眼鏡レンズの明視域を求め、その明視域を視対象となる空間の平面図上の範囲として表示する技術が開示されている。
【先行技術文献】
【特許文献】
【０００５】
【特許文献１】特開２００９−９５６３５号公報
【特許文献２】特開２００７−１０５０８９号公報
【発明の概要】
【発明が解決しようとする課題】
【０００６】
しかしながら、上記特許文献１，２に開示されているように、明視域の距離範囲をグラフ表示したり、明視域の視野範囲を平面図上に表示したりするだけでは、眼鏡レンズの明視域について、実際にどのような見え方となるのかを直観的に把握することができないといった問題が生じていた。
【０００７】
本発明は、このような問題を解決するために成されたものであり、眼鏡レンズの明視域についてどのような見え方となるのかをより直観的に把握できるようにすることを目的とする。
【課題を解決するための手段】
【０００８】
上記した課題を解決するために、本発明では、眼鏡レンズ装着者の裸眼度数を含む視力情報と、眼鏡レンズのレンズ種類、処方度数、加入度数を含むレンズ情報とに基づいて、当該眼鏡レンズの明視域を算出し、算出された明視域をグラフィカルに表示させるようにしている。特に、算出された明視域の距離範囲を示す明視域表示バーを表示画面に表示させるとともに、算出された明視域に関する、眼鏡レンズ装着者の視点から見た正面視の視野範囲を表す第１の画像、眼鏡レンズ装着者の上方から見た平面視の視野範囲を表す第２の画像、眼鏡レンズ装着者の視点から視認可能な高さ方向を側方から表す第３の画像の各々を、表示画面に表示させるようにしている。
【発明の効果】
【０００９】
上記のように構成した本発明によれば、表示画面上にグラフィカルに表示された複数種類の表示画像（明視域表示バーおよび第１〜第３の画像）により、入力された視力情報およびレンズ情報に対応する明視域を、様々な観点（距離範囲、眼鏡レンズ装着者の視点から見た正面方向の実際の見え方、眼鏡レンズ装着者の上方から見た平面視の視野範囲、眼鏡レンズ装着者の視点から視認可能な高さ方向等）から視覚的に確認することができるようになる。このため、本発明によれば、眼鏡レンズの明視域についてどのような見え方となるのかをより直観的に把握することができる。
【図面の簡単な説明】
【００１０】
【図１】本発明の一実施形態に係る明視域表示装置の機能構成例を示すブロック図である。
【図２】本発明の一実施形態に係る明視域表示装置による初期表示処理の一例を示すフローチャートである。
【図３】本発明の一実施形態に係る明視域表示装置による明視域の表示例を示す図である。
【図４】本発明の一実施形態に係る明視域表示装置による表示変更処理の一例を示すフローチャートである。
【図５】本発明の一実施形態に係る明視域表示装置による明視域表示バーの変更例（第１例）を示す図である。
【図６】本発明の一実施形態に係る明視域表示装置による明視域表示バーの変更例（第２例）を示す図である。
【図７】本発明の一実施形態に係る明視域表示装置による明視域表示バーの変更例（第３例）を示す図である。
【図８】本発明の一実施形態に係る明視域表示装置による複数の明視域表示バーの表示例を示す図である。
【図９】本発明の一実施形態に係る明視域表示装置による第１〜第３画像の表示変更例を示す図である。
【図１０】本発明の一実施形態に係る明視域表示装置による第１〜第３画像の表示変更例を示す図である。
【図１１】本発明の一実施形態に係る明視域表示装置による明視域表示バーの変更例（第４例）を示す図である。
【図１２】本発明の一実施形態に係る明視域表示装置による明視域表示バーの変更例（第５例）を示す図である。
【発明を実施するための形態】
【００１１】
以下、本発明の一実施形態を図面に基づいて説明する。
【００１２】
〔明視域表示装置１００の機能構成例〕
図１は、本発明の一実施形態に係る明視域表示装置１００の機能構成例を示すブロック図である。明視域表示装置１００は、入力されたレンズ情報に基づいて、眼鏡レンズの明視域を算出し、算出した明視域をグラフィカルに表示する装置である。明視域表示装置１００としては、例えば、明視域表示専用機、スマートフォン、携帯電話機、タブレット端末、パーソナルコンピュータ等を用いることができる。
【００１３】
図１に示すように、明視域表示装置１００は、タッチパネル１０１、ディスプレイ１０２および入力情報記憶部１１０を備えている。また、明視域表示装置１００は、その機能構成として、入力受付部１１１、明視域算出部１１２、明視域表示部１１３およびレンズ情報変更部１１４を備えている。なお、明視域表示部１１３は、バー表示部１１３ａ、第１の画像表示部１１３ｂ、第２の画像表示部１１３ｃ、第３の画像表示部１１３ｄおよび第４の画像表示部１１３ｅを備えている。
【００１４】
上記各機能ブロック１１１〜１１４は、ハードウェア、ＤＳＰ（Digital Signal Processor）、ソフトウェアの何れによっても構成することが可能である。例えばソフトウェアによって構成する場合、上記各機能ブロック１１１〜１１４は、実際にはコンピュータのＣＰＵ、ＲＡＭ、ＲＯＭなどを備えて構成され、ＲＡＭやＲＯＭ、ハードディスクまたは半導体メモリ等の記録媒体に記憶されたプログラムが動作することによって実現される。
【００１５】
タッチパネル１０１は、各種情報（例えば、レンズ情報）を入力するための入力デバイスの一例である。タッチパネル１０１は、ディスプレイ１０２の表面に重ねて設けられている。ディスプレイ１０２は、各種情報（例えば、明視域の表示画面）を表示する。ディスプレイ１０２には、例えば液晶ディスプレイ、有機ＥＬディスプレイ等が用いられる。
【００１６】
入力受付部１１１は、タッチパネル１０１の操作による、眼鏡レンズ装着者の視力情報およびレンズ情報の入力を受け付ける。入力受付部１１１が入力を受け付けた視力情報およびレンズ情報は、入力情報記憶部１１０に記憶される。入力受付部１１１が入力を受け付けるレンズ情報には、眼鏡レンズのレンズ種類、処方度数、加入度数が含まれている。また、入力受付部１１１が入力を受け付ける視力情報には、年齢／調節力、裸眼度数が含まれている。
【００１７】
また、入力受付部１１１は、タッチパネル１０１の操作による、表示画面に表示された明視域表示バーの位置および長さの少なくともいずれか一方の変更操作の入力を受け付ける。また、入力受付部１１１は、既に入力されているレンズ情報（入力情報記憶部１１０に記憶されたレンズ情報）に対する直接の変更操作の入力を受け付ける。なお、明視域表示バーの変更操作の具体例については、図６および図７を用いて後述する。また、レンズ情報に対する直接の変更操作の具体例については、図３および図５を用いて後述する。
【００１８】
また、入力受付部１１１は、後述する第１〜第３の画像によって表される眼鏡レンズの明視域が、複数の距離域からなる場合、タッチパネル１０１の操作による、これら複数の距離域のうちの、表示対象とする距離域の切り替え操作の入力を受け付ける。なお、表示対象とする距離域の切り替え操作の具体例については、図３を用いて後述する。
【００１９】
明視域算出部１１２は、入力受付部１１１が視力情報およびレンズ情報の入力を受け付けると、当該視力情報およびレンズ情報に基づいて、従来知られている算出方法を用いて、眼鏡レンズの明視域を算出する。明視域算出部１１２によって算出される明視域には、距離範囲、左右方向の角度、上下方向の角度が含まれる。例えば、明視域の距離範囲における上限値（遠点）は、主に裸眼度数と処方度数とに基づいて算出される。また、明視域の距離範囲における下限値（近点）は、主に裸眼度数と処方度数と加入度数と調節力とに基づいて算出される。例えば、レンズの種類が「単焦点レンズ」である場合、裸眼度数と処方度数とに基づいて上限値（遠点）が算出され、さらに、この上限値と調節力とに基づいて下限値（近点）が算出される。また、レンズの種類が「遠近累進レンズ」，「中近累進レンズ（中間重視）」，「中近累進レンズ（近用重視）」である場合、裸眼度数と処方度数とに基づいて上限値（遠点）が算出され、さらに、この上限値と加入度数と調節力とに基づいて下限値（近点）が算出される。また、明視域の左右方向の角度および上下方向の角度は、レンズの種類に応じて算出される。これらの情報の算出は、例えば、経験則的に作成したテーブル情報、または、所定の関数式に基づいて行われる。
【００２０】
明視域算出部１１２は、レンズ情報として入力されたレンズの種類に応じて、１または複数の距離域からなる明視域を算出し得る。例えば、入力されたレンズの種類が単焦点レンズの場合、明視域算出部１１２は、１の距離域からなる明視域を算出する。一方、入力されたレンズの種類が累進レンズ（遠近両用、中近両用等）の場合、明視域算出部１１２は、複数の距離域（例えば、遠距離域、中距離域、近距離域）からなる明視域を算出する。この場合、明視域算出部１１２は、複数の距離域の各々について、少なくとも距離範囲、左右方向の角度、上下方向の角度を算出する。
【００２１】
明視域表示部１１３は、明視域算出部１１２によって算出された明視域をグラフィカルにディスプレイ１０２に表示させる。具体的には、バー表示部１１３ａは、明視域表示部１１３によって算出された明視域の距離範囲を示す明視域表示バーを、表示画面に表示させる。
【００２２】
また、バー表示部１１３ａは、タッチパネルによる明視域表示バーの変更操作に応じて、当該明視域表示バーの位置および長さの少なくともいずれか一方を変更する。例えば、明視域表示バーの遠距離域側の端部（本実施形態では左端（但し、厳密な左端に限らず、一定の幅があってもよい））が、タップ操作の後にスライド操作された場合、バー表示部１１３ａは、近距離域側の端部の位置とともに、遠距離側の端部の位置を変更する。この場合、明視域表示バーは、長さが変更されることなく、全体の位置が変更されることとなる（図６参照）。
【００２３】
一方、明視域表示バーの近距離域側の端部（本実施形態では右端（但し、厳密な右端に限らず、一定の幅があってもよい））が、タップ操作の後にスライド操作された場合、バー表示部１１３ａは、レンズ種類に応じて、遠距離側の端部（本実施形態では左端部）の位置を固定したまま、近距離域側の端部の位置を変更するか、または、遠距離域側の端部の位置とともに、近距離側の端部の位置を変更する。
【００２４】
例えば、レンズ種類が単焦点レンズの場合、バー表示部１１３ａは、遠距離域側の端部の位置とともに、近距離側の端部の位置を変更する。この場合、明視域表示バーは、長さが変更されることなく、全体の位置が変更されることとなる（図７参照）。また、レンズ種類が累進レンズの場合、バー表示部１１３ａは、遠距離側の端部の位置を固定したまま、近距離域側の端部の位置を変更する。この場合、明視域表示バーは、遠距離側の端部の位置が固定されたまま、全体の長さが変更されることとなる（図１１および図１２参照）。
【００２５】
また、第１の画像表示部１１３ｂは、明視域算出部１１２によって算出された明視域に関する、眼鏡レンズ装着者の視点から見た正面視の視野範囲（距離範囲及び左右方向の角度）を表す画像（以下、「第１の画像」と示す）を、上記表示画面に表示させる。また、第２の画像表示部１１３ｃは、明視域算出部１１２によって算出された明視域に関する、眼鏡レンズ装着者の上方から見た平面視の視野範囲（距離範囲及び左右方向の角度）を表す画像（以下、「第２の画像」と示す）を、上記表示画面に表示させる。また、第３の画像表示部１１３ｄは、明視域算出部１１２によって算出された明視域に関する、眼鏡レンズ装着者の視点から視認可能な高さ方向（距離範囲及び上下方向の角度）を側方から表す画像（以下、「第３の画像」と示す）を、上記表示画面に表示させる。
【００２６】
また、第４の画像表示部１１３ｅは、明視域算出部１１２によって算出された明視域に関する第４の画像を、上記表示画面における明視域表示バーと同列上に表示させる。第４の画像とは、眼鏡レンズ装着者の視点から見た正面視の視野範囲を表す、眼鏡レンズをイメージした円形の画像（第１の画像と同じ視野範囲を示す画像であって、第１の画像から背景画像を除いたものに相当する）であって、眼鏡レンズ装着者が正面をまっすぐ見たときの視線高さとなる中心位置に目のマーク（所定のマークの一例）を表示したものである。この目のマークにより、眼鏡レンズ装着者が正面をまっすぐ見たときにピントが合う距離域を容易に把握できるようになっている。
【００２７】
なお、第４の画像の表示位置は、明視域表示バーと同列上に限らない。但し、明視域表示バーおよび第４の画像を複数表示する場合に（図８参照）、各明視域表示バーに対応する第４の画像を容易に把握できるという観点から、第４の画像を明視域表示バーと同列上に表示することが好ましい。また、第４の画像において、目のマークの代わりに別のマーク（例えば、「＋」マーク）を表示するようにしてもよい。但し、より直観的に把握できるという観点から、目のマークを用いることが好ましい。
【００２８】
明視域表示部１１３によって複数の距離域からなる明視域が算出された場合、バー表示部１１３ａは、明視域表示バーを、距離域毎に区別して表示画面に表示させる。この場合、第１の画像表示部１１３ｂ、第２の画像表示部１１３ｃ、第３の画像表示部１１３ｄ、第４の画像表示部１１３ｅの各々は、第１の画像、第２の画像、第３の画像、第４の画像の各々を、明視域表示バーと同様に距離域毎に区別して上記表示画面に表示させる。
【００２９】
本実施形態では、バー表示部１１３ａは、明視域の各距離域を区別する方法として、距離域毎に表示色を異ならせて、明視域表示バーを表示画面に表示させる。これに応じて、第１の画像表示部１１３ｂ、第２の画像表示部１１３ｃ、第３の画像表示部１１３ｄ、第４の画像表示部１１３ｅの各々は、明視域表示バーと同じ表示色を用いて、距離域毎に表示色を異ならせて、第１の画像、第２の画像、第３の画像、第４の画像の各々を表示画面に表示させる。本実施形態では、表示色の一例として、明視域表示バー、第１の画像、第２の画像、第３の画像、第４の画像のいずれにおいても、遠距離域に薄い青色を用い、中距離域に緑色を用い、近距離域に濃い青色を用いている。
【００３０】
また、明視域表示部１１３は、表示対象とする距離域の切り替え操作の入力を入力受付部１１１が受け付けた場合、その操作に応じて、表示対象とする距離域の切り替えを行う。例えば、全ての距離域を表示する旨の切り替え操作の入力を入力受付部１１１が受け付けた場合、明視域表示部１１３は、第１の画像，第２の画像，第３の画像の各々について、全ての距離域を表示する。一方、いずれか一の距離域を表示する旨の切り替え操作の入力を入力受付部１１１が受け付けた場合、明視域表示部１１３は、第１の画像，第２の画像，第３の画像の各々について、その一の距離域のみを表示する。
【００３１】
レンズ情報変更部１１４は、表示画面に表示された明視域表示バーの位置および長さの少なくともいずれか一方の変更操作の入力を、入力受付部１１１が受け付けた場合、当該変更操作による変更後の明視域表示バーが示す明視域の距離範囲に応じて、入力情報記憶部１１０に記憶されたレンズ情報を変更する。具体的には、レンズ情報変更部１１４は、明視域表示バーの遠距離域側の端部（本実施形態では左端）がタップ操作に続いてスライド操作された場合、そのスライド後の遠距離域側の端部の位置と裸眼度数とに応じて、入力情報記憶部１１０に記憶されたレンズ情報のうちの処方度数を変更する。また、レンズ情報変更部１１４は、明視域表示バーの近距離域側の端部（本実施形態では右端）がタップ操作に続いてスライド操作された場合、そのスライド後の近距離域側の端部の位置と遠距離域側の端部の位置と裸眼度数とに応じて、入力情報記憶部１１０に記憶されたレンズ情報のうちの加入度数を変更する。
【００３２】
また、レンズ情報変更部１１４は、入力受付部１１１がレンズ情報に対する直接の変更操作の入力を受け付けると、その操作内容に応じてレンズ情報を変更する。例えば、処方度数を増減する変更ボタン３１７（図３参照）の操作の入力を入力受付部１１１が受け付けた場合、入力受付部１１１は、レンズ情報のうちの処方度数を、操作内容に応じて増減する。また、複数のレンズの種類をリスト表示して、その中から他のレンズ種類を選択する操作の入力を入力受付部１１１が受け付けた場合、入力受付部１１１は、レンズ情報のうちのレンズ種類を、選択された他のレンズ種類に変更する。また、加入度数を増減する変更ボタン３１８（図３参照）の操作の入力を入力受付部１１１が受け付けた場合、入力受付部１１１は、レンズ情報のうちの加入度数を、操作内容に応じて増減する。
【００３３】
レンズ情報を変更する方法としては、上記のように明視域表示バーのスライド操作を介してレンズ情報変更部１１４によってレンズ情報を変更する方法と、ユーザがタッチパネル１０１の操作によりレンズ情報を直接変更する方法とがある。いずれかの方法により、レンズ情報が変更された場合、入力情報記憶部１１０に記憶されるレンズ情報は、変更後のレンズ情報へ更新される。また、明視域算出部１１２は、入力情報記憶部１１０に記憶された変更後のレンズ情報に基づいて明視域を再算出する。
【００３４】
そして、レンズ情報が直接変更された場合には、バー表示部１１３ａが、明視域算出部１１２によって再算出された明視域の距離範囲を示す明視域表示バーを、表示画面に表示させる。さらに、第１の画像表示部１１３ｂ、第２の画像表示部１１３ｃ、第３の画像表示部１１３ｄ、第４の画像表示部１１３ｅの各々が、明視域算出部１１２によって再算出された明視域に関する、第１の画像、第２の画像、第３の画像、第４の画像の各々を、表示画面に表示させる。
【００３５】
一方、明視域表示バーのスライド操作によってレンズ情報が変更された場合には、第１の画像表示部１１３ｂ、第２の画像表示部１１３ｃ、第３の画像表示部１１３ｄ、第４の画像表示部１１３ｅの各々が、明視域算出部１１２によって再算出された明視域に関する、第１の画像、第２の画像、第３の画像、第４の画像の各々を、表示画面に表示させる。
【００３６】
また、レンズ情報変更部１１４は、入力受付部１１１が入力を受け付けたレンズ情報に対し、レンズ種類が遠近両用レンズに変更された場合、明視域算出部１１２によって算出される明視域の下限値が所定距離となるように、当該レンズ情報における加入度数を変更する。なお、一般的には、遠近両用レンズの場合、明視域の下限値が４０ｃｍとなるように、レンズ情報が処方されることが多い。このため、本実施形態では、上記所定距離を４０ｃｍとしているが、これに限らない。
【００３７】
〔明視域表示装置１００による初期表示処理の一例〕
図２は、本発明の一実施形態に係る明視域表示装置１００による初期表示処理の一例を示すフローチャートである。図２に示す処理は、例えば、ユーザによるタッチパネル１０１の操作により、当該処理にかかるアプリケーションが起動されてから最初にレンズ情報および視力情報が入力されたときに開始する。
【００３８】
まず、入力受付部１１１が、レンズ情報および視力情報の入力を受け付ける（ステップＳ２０２）。そして、入力情報記憶部１１０が、ステップＳ２０２で入力を受け付けたレンズ情報および視力情報を記憶する（ステップＳ２０４）。
【００３９】
次に、明視域算出部１１２が、ステップＳ２０４で記憶されたレンズ情報および視力情報に基づいて、眼鏡レンズの明視域を算出する（ステップＳ２０６）。そして、バー表示部１１３ａが、ステップＳ２０６で算出された明視域の距離範囲を示す明視域表示バーを、距離域毎に表示色を異ならせて、表示画面に表示させる（ステップＳ２０８）。
【００４０】
また、第１の画像表示部１１３ｂが、ステップＳ２０６で算出された明視域に関する、眼鏡レンズ装着者の視点から見た正面視の視野範囲を表す第１の画像を、明視域表示バーと同じ表示色により距離域毎に表示色を異ならせて、表示画面に表示させる（ステップＳ２１０）。
【００４１】
また、第２の画像表示部１１３ｃが、ステップＳ２０６で算出された明視域に関する、眼鏡レンズ装着者の上方から見た平面視の視野範囲を表す第２の画像を、明視域表示バーと同じ表示色により距離域毎に表示色を異ならせて、表示画面に表示させる（ステップＳ２１２）。
【００４２】
また、第３の画像表示部１１３ｄが、ステップＳ２０６で算出された明視域に関する、眼鏡レンズ装着者の視点から視認可能な高さ方向を側方から表す第３の画像を、明視域表示バーと同じ表示色により距離域毎に表示色を異ならせて、表示画面に表示させる（ステップＳ２１４）。
【００４３】
さらに、第４の画像表示部１１３ｅが、ステップＳ２０６で算出された明視域に関する、眼鏡レンズ装着者の視点から見た正面視の視野範囲を簡易的に表す第４の画像を、明視域表示バーと同じ表示色により距離域毎に表示色を異ならせて、表示画面における明視域表示バーと同列上に表示させる（ステップＳ２１６）。そして、明視域表示装置１００は、図２に示す一連の処理を終了する。
【００４４】
なお、上記ステップＳ２０８，Ｓ２１０，Ｓ２１２，Ｓ２１４，Ｓ２１６において、「距離域毎に表示色を異ならせる」という処理は、複数の距離域からなる累進レンズの場合に適用されるものであり、単一の距離域からなる単焦点レンズの場合には、このような処理は不要である。
【００４５】
〔明視域の表示例〕
図３は、本発明の一実施形態に係る明視域表示装置１００による明視域の表示例を示す図である。図３に示す表示画面３００は、明視域表示装置１００のディスプレイ１０２に表示された表示画面の一例である。この表示画面３００は、情報入力領域３１０、バー表示領域３２０、第１画像表示領域３３０、第２画像表示領域３４０および第３画像表示領域３５０を備えて構成されている。
【００４６】
情報入力領域３１０では、ユーザによるタッチパネル１０１の操作によるレンズ情報および視力情報の入力、ならびに、入力されたレンズ情報および視力情報の表示が可能となっている。情報入力領域３１０には、年齢／調節力入力欄３１１、裸眼度数入力欄３１２、処方度数入力欄３１３、レンズ種類入力欄３１４および加入度数入力欄３１５が設けられている。年齢／調節力入力欄３１１には、視力情報の年齢／調節力が入力される。裸眼度数入力欄３１２には、視力情報の裸眼度数が入力される。処方度数入力欄３１３には、レンズ情報の処方度数が入力される。レンズ種類入力欄３１４には、レンズ情報のレンズ種類が入力される。加入度数入力欄３１５には、レンズ情報の加入度数が入力される。情報入力領域３１０においてレンズ情報および視力情報が入力されると、明視域算出部１１２により、入力されたレンズ情報および視力情報に基づいて、眼鏡レンズの明視域が算出される。
【００４７】
また、情報入力領域３１０には、年齢／調節力変更ボタン３１６、処方度数変更ボタン３１７、加入度数変更ボタン３１８が設けられている。年齢／調節力変更ボタン３１６は、年齢／調節力入力欄３１１に入力された年齢／調節力の直接の変更操作（増減）に用いられる。また、処方度数変更ボタン３１７は、処方度数入力欄３１３に入力された処方度数の直接の変更操作（増減）に用いられる。また、加入度数変更ボタン３１８は、加入度数入力欄３１５に入力された加入度数の直接の変更操作（増減）に用いられる。
【００４８】
バー表示領域３２０には、明視域算出部１１２によって算出された明視域の距離範囲を示す横長形状の明視域表示バー３２１が、バー表示部１１３ａによって表示される。ここで、図３の例では、レンズ種類入力欄３１４にレンズ種類として「遠近累進レンズ」が入力されている。このため、明視域表示バー３２１は、近距離域３２１Ａ、中距離域３２１Ｂ、遠距離域３２１Ｃとから構成されている。近距離域３２１Ａは、濃い青色（便宜上、左下がり斜線にて示されている）で示されている。また、中距離域３２１Ｂは、緑色（便宜上、ドットパターンにて示されている）で示されている。また、遠距離域３２１Ｃは、薄い青色（便宜上、右下がり斜線にて示されている）で示されている。このように、明視域表示バー３２１は、各距離域３２１Ａ〜３２１Ｃで表示色を異ならせているため、各距離域３２１Ａ〜３２１Ｃの距離範囲を容易且つ視覚的に把握できるようになっている。
【００４９】
バー表示領域３２０において、明視域表示バー３２１の隣（同列上）には、第４の画像表示部１１３ｅによって第４の画像３２２が表示されている。第４の画像３２２は、明視域表示バー３２１が示す眼鏡レンズの明視域に関する、眼鏡レンズ装着者の視点から見た正面視の視野範囲を、眼鏡レンズをイメージした円形で簡易的に表したものである。明視域表示バー３２１が遠距離域３２１Ａ，中距離域３２１Ｂ，近距離域３２１Ｃを有しているのに応じて、第４の画像３２２は、遠距離域３２２Ａと、中距離域３２２Ｂと、近距離域３２２Ｃとを有している。遠距離域３２２Ａ，中距離域３２２Ｂ，近距離域３２２Ｃは、それぞれ、明視域表示バー３２１の遠距離域３２１Ａ，中距離域３２１Ｂ，近距離域３２１Ｃと同じ表示色が用いられている。
【００５０】
第４の画像３２２には、その略中央に目のマークが表示されている。このマークは、眼鏡レンズ装着者が正面をまっすぐ見たときにピントが合う距離域を示すものである。例えば、図３に示す例では、第４の画像３２２では、目のマークがあるところの距離域は、遠距離域３２２Ａとなっている。これは、眼鏡レンズ装着者の視線の高さが正面方向であったとき、遠距離域３２２Ａにピントが合うことを意味する。
【００５１】
第１画像表示領域３３０には、明視域算出部１１２によって算出された明視域に関する、眼鏡レンズ装着者の視点から見た正面視の視野範囲（距離範囲および左右方向の角度）を表す第１の画像が、第１の画像表示部１１３ｂによって、あるシーンをイメージした背景画像に対して重ねて表示される。第１の画像は、明視域表示バー３２１と同様に、遠距離域３３１Ａと、中距離域３３１Ｂと、近距離域３３１Ｃとを有して構成されている。遠距離域３３１Ａ，中距離域３３１Ｂ，近距離域３３１Ｃは、それぞれ、明視域表示バー３２１の遠距離域３２１Ａ，中距離域３２１Ｂ，近距離域３２１Ｃと同じ距離範囲を表しており、且つ、同じ表示色が用いられている。
【００５２】
なお、明視域表示装置１００では、第１画像表示領域３３０に表示させることが可能な、６つのシーンの背景画像が用意されている。これに応じて、第１画像表示領域３３０の隣には、６つのシーンの背景画像の各々に対応する、６つのサムネイル画像３７１〜３７６が並べて表示されている。ユーザは、タッチパネル１０１の操作によって、サムネイル画像３７１〜３７６のうちのいずれかを選択することにより、第１画像表示領域３３０に表示させる背景画像を、選択されたサムネイル画像に対応する背景画像（すなわち、６つのシーンの背景画像のいずれか）とすることができる。
【００５３】
第２画像表示領域３４０には、明視域算出部１１２によって算出された明視域に関する、眼鏡レンズ装着者の上方から見た平面視の視野範囲（距離範囲および左右方向の角度）を表す第２の画像が、第２の画像表示部１１３ｃによって、あるシーンをイメージした平面的な画像に対して重ねて表示される。第２の画像は、明視域表示バー３２１と同様に、遠距離域３４１Ａと、中距離域３４１Ｂと、近距離域３４１Ｃとを有して構成されている。遠距離域３４１Ａ，中距離域３４１Ｂ，近距離域３４１Ｃは、それぞれ、明視域表示バー３２１の遠距離域３２１Ａ，中距離域３２１Ｂ，近距離域３２１Ｃと同じ距離範囲を表しており、且つ、同じ表示色が用いられている。
【００５４】
第３画像表示領域３５０には、明視域算出部１１２によって算出された明視域に関する、眼鏡レンズ装着者の視点から視認可能な高さ方向（距離範囲および上下方向の角度）を側方から表す第３の画像が、第３の画像表示部１１３ｄによって表示される。第３の画像は、明視域表示バー３２１と同様に、遠距離域３５１Ａと、中距離域３５１Ｂと、近距離域３５１Ｃとを有して構成されている。遠距離域３５１Ａ，中距離域３５１Ｂ，近距離域３５１Ｃは、それぞれ、対応する視線方向を示す矢印形状を有している。具体的には、遠距離域３５１Ａは、正面方向を示す矢印であり、中距離域３５１Ｂは、正面方向よりも下向きの矢印であり、近距離域３５１Ｃは、正面方向よりもさらに下向きの矢印である。また、遠距離域３５１Ａ，中距離域３５１Ｂ，近距離域３５１Ｃは、それぞれ、明視域表示バー３２１の遠距離域３２１Ａ，中距離域３２１Ｂ，近距離域３２１Ｃと同じ距離範囲を表しており、且つ、同じ表示色が用いられている。
【００５５】
第３画像表示領域３５０の隣には、第１画像表示領域３３０，第２画像表示領域３４０，第３画像表示領域３５０に表示させる第１の画像，第２の画像，第３の画像の表示対象とする距離域を切り替えるための、選択ボタン３６１，３６２，３６３，３６４が並べて表示されている。例えば、ユーザによるタッチパネル１０１の操作により、「ＡＬＬ」と表記された選択ボタン３６１が選択された場合、第１の画像，第２の画像，第３の画像の各々について、全ての距離域（遠距離域、中距離域、近距離域）が表示対象とされる。
【００５６】
また、「ＵＰ／Ｆ」と表記された選択ボタン３６２が選択された場合、第１の画像，第２の画像，第３の画像の各々について、遠距離域（右下がり斜線で示されている部分）のみが表示対象とされる。また、「ＭＩＤ／Ｍ」と表記された選択ボタン３６３が選択された場合、第１の画像，第２の画像，第３の画像の各々について、中距離域（ドットパターンで示されている部分）のみが表示対象とされる。また、「ＤＯＷＮ／Ｎ」と表記された選択ボタン３６４が選択された場合、第１の画像，第２の画像，第３の画像の各々について、近距離域（左下がり斜線で示されている部分）のみが表示対象とされる。
【００５７】
例えば、図３の例では、明視域算出部１１２により、近距離域を３３〜４０ｃｍとし、中距離域を４０〜２００ｃｍとし、遠距離域を２００〜∞ｃｍとし、各距離域について距離範囲、左右方向の角度、上下方向の角度を含む、明視域が算出されている。これに応じて、明視域表示バー３２１、第１の画像、第２の画像、第３の画像の各々において、近距離域（３３〜４０ｃｍ）に対応する範囲が、近距離域に対応する色（濃い青色）で示されている。また、中距離域（４０〜２００ｃｍ）に対応する範囲が、中距離域に対応する色（緑色）で示されている。また、遠距離域（２００〜∞ｃｍ）に対応する範囲が、遠距離域に対応する色（薄い青色）で示されている。
【００５８】
これにより、ユーザは、図３の表示画面３００から、視線方向を正面方向とした場合には、遠距離域にピントを合わせることができること、ならびに、その距離範囲（２００〜∞ｃｍ）および左右方向の範囲を、容易且つ直観的に把握することができる。また、視線方向を正面方向よりも下向きとした場合には、中距離域にピントを合わせることができること、ならびに、その距離範囲（４０〜２００ｃｍ）および左右方向の範囲を、容易且つ直観的に把握することができる。また、視線方向を正面方向よりもさらに下向きとした場合には、近距離域にピントを合わせることができること、ならびに、その距離範囲（３３〜４０ｃｍ）および左右方向の範囲を、容易且つ直観的に把握することができる。
【００５９】
このように、本実施形態の明視域表示装置１００によれば、入力されたレンズ情報および視力情報に基づいて、眼鏡レンズの明視域を算出し、算出された明視域をグラフィカルに且つ距離域別に区別して表示する複数種類の表示画像（明視域表示バー，第１の画像，第２の画像，第３の画像，第４の画像）を、同一画面上に並べて表示することができる。これにより、ユーザは、複数種類の表示画像により、入力されたレンズ情報に対応する明視域を、様々な観点（距離範囲、眼鏡レンズ装着者の視点から見た正面方向の実際の見え方、眼鏡レンズ装着者の上方から見た平面視の視野範囲、眼鏡レンズ装着者の視点から視認可能な高さ方向等）から視覚的に確認することができる。特に、複数種類の表示画像の各々において、各距離域に対応する範囲を容易に識別できる。このため、本実施形態の明視域表示装置１００によれば、眼鏡レンズの明視域について距離域毎にどのような見え方となるのかをより直観的に把握することができる。
【００６０】
〔明視域表示装置１００による表示変更処理の一例〕
図４は、本発明の一実施形態に係る明視域表示装置１００による表示変更処理の一例を示すフローチャートである。図４に示す処理は、例えば、図３に示すように、既に入力されたレンズ情報に基づく明視域の画像が表示画面に表示されたときに開始する。
【００６１】
まず、入力受付部１１１が、明視域表示バーの近距離域側の端部のタップ操作に続くスライド操作を受け付けたか否かを判断する（ステップＳ４０２）。ここで、明視域表示バーの近距離域側の端部のタップ操作に続くスライド操作を受け付けたと入力受付部１１１が判断した場合（ステップＳ４０２：Ｙｅｓ）、レンズ情報変更部１１４が、変更後の明視域表示バーの近距離域側の端部の位置および遠距離域側の端部の位置と、入力情報記憶部１１０に記憶されている視力情報の裸眼度数とに応じて、レンズ情報の加入度数を変更する（ステップＳ４０４）。また、明視域算出部１１２が、変更されたレンズ情報に基づいて、眼鏡レンズの明視域を算出する（ステップＳ４１０）。そして、明視域表示装置１００は、ステップＳ４２２へ処理を進める。一方、明視域表示バーの近距離域側の端部のタップ操作に続くスライド操作を受け付けていないと入力受付部１１１が判断した場合（ステップＳ４０２：Ｎｏ）、明視域表示装置１００は、ステップＳ４０６へ処理を進める。
【００６２】
ステップＳ４０６では、入力受付部１１１が、明視域表示バーの遠距離域側の端部のタップ操作に続くスライド操作を受け付けたか否かを判断する。ここで、明視域表示バーの遠距離域側の端部のタップ操作に続くスライド操作を受け付けたと入力受付部１１１が判断した場合（ステップＳ４０６：Ｙｅｓ）、レンズ情報変更部１１４が、変更後の明視域表示バーの遠距離域側の端部の位置と、入力情報記憶部１１０に記憶されている視力情報の裸眼度数とに応じて、レンズ情報の処方度数を変更する（ステップＳ４０８）。また、明視域算出部１１２が、変更されたレンズ情報に基づいて、眼鏡レンズの明視域を算出する（ステップＳ４１０）。そして、明視域表示装置１００は、ステップＳ４２２へ処理を進める。一方、明視域表示バーの遠距離域側の端部のタップ操作に続くスライド操作を受け付けていないと入力受付部１１１が判断した場合（ステップＳ４０６：Ｎｏ）、明視域表示装置１００は、ステップＳ４１２へ処理を進める。
【００６３】
ステップＳ４１２では、入力受付部１１１が、レンズ情報（処方度数、加入度数、レンズ種類のいずれか）を直接変更する操作を受け付けたか否かを判断する。ここで、レンズ情報を直接変更する操作を受け付けていないと入力受付部１１１が判断した場合（ステップＳ４１２：Ｎｏ）、明視域表示装置１００は、ステップＳ４０２以降の処理を再度実行する。
【００６４】
一方、レンズ情報を直接変更する操作を受け付けたと入力受付部１１１が判断した場合（ステップＳ４１２：Ｙｅｓ）、レンズ情報変更部１１４が、レンズ情報のうちのレンズ種類が遠近両用レンズに変更されたか否かを判断する（ステップＳ４１４）。ここで、レンズ種類が遠近両用レンズに変更されていないとレンズ情報変更部１１４が判断した場合（ステップＳ４１４：Ｎｏ）、明視域表示装置１００は、ステップＳ４１８へ処理を進める。一方、レンズ種類が遠近両用レンズに変更されたとレンズ情報変更部１１４が判断した場合（ステップＳ４１４：Ｙｅｓ）、レンズ情報変更部１１４が、明視域の下限値が４０ｃｍとなるように、レンズ情報の加入度数を変更する（ステップＳ４１６）。そして、明視域表示装置１００は、ステップＳ４１８へ処理を進める。
【００６５】
ステップＳ４１８では、明視域算出部１１２が、変更されたレンズ情報に基づいて、眼鏡レンズの明視域を算出する。そして、バー表示部１１３ａが、ステップＳ４１８で算出された明視域の距離範囲を示す明視域表示バーを、距離域毎に表示色を異ならせて、表示画面に表示させる（ステップＳ４２０）。そして、明視域表示装置１００は、ステップＳ４２２へ処理を進める。
【００６６】
ステップＳ４２２では、第１の画像表示部１１３ｂが、ステップＳ４１０またはＳ４１８で算出された明視域に関する、眼鏡レンズ装着者の視点から見た正面視の視野範囲を表す第１の画像を、明視域表示バーと同じ表示色により距離域毎に表示色を異ならせて、表示画面に表示させる。
【００６７】
また、第２の画像表示部１１３ｃが、ステップＳ４１０またはＳ４１８で算出された明視域に関する、眼鏡レンズ装着者の上方から見た平面視の視野範囲を表す第２の画像を、明視域表示バーと同じ表示色により距離域毎に表示色を異ならせて、表示画面に表示させる（ステップＳ４２４）。
【００６８】
また、第３の画像表示部１１３ｄが、ステップＳ４１０またはＳ４１８で算出された明視域に関する、眼鏡レンズ装着者の視点から視認可能な高さ方向を側方から表す第３の画像を、明視域表示バーと同じ表示色により距離域毎に表示色を異ならせて、表示画面に表示させる（ステップＳ４２６）。
【００６９】
さらに、第４の画像表示部１１３ｅが、ステップＳ４１０またはＳ４１８で算出された明視域に関する、眼鏡レンズ装着者の視点から見た正面視の視野範囲を簡易的に表す第４の画像を、明視域表示バーと同じ表示色により距離域毎に表示色を異ならせて、表示画面における明視域表示バーと同列上に表示させる（ステップＳ４２８）。そして、明視域表示装置１００は、図４に示す一連の処理を終了する。
【００７０】
なお、上記ステップＳ４２０，Ｓ４２２，Ｓ４２４，Ｓ４２６，Ｓ４２８において、「距離域毎に表示色を異ならせる」という処理は、複数の距離域からなる累進レンズの場合に適用されるものであり、単一の距離域からなる単焦点レンズの場合には、このような処理は不要である。
【００７１】
〔明視域表示装置１００による明視域表示バーの変更例（第１例）〕
図５は、本発明の一実施形態に係る明視域表示装置１００による明視域表示バーの変更例（第１例）を示す図である。図５（ａ）は、レンズ情報のレンズ種類に単焦点レンズが入力された例を示している。図５（ｂ）は、レンズ情報のレンズ種類が遠近両用レンズに変更された例を示している。このように、既に入力済みのレンズ情報に対し、レンズ種類が遠近両用レンズに変更された場合、レンズ情報変更部１１４により、明視域算出部１１２によって算出される明視域の下限値が４０ｃｍとなるように、レンズ情報における加入度数が変更される。
【００７２】
例えば、図５に示す例では、ユーザによるタッチパネル１０１の操作により、レンズ種類が「単焦点レンズ」から「遠近累進レンズ」に変更されている。これに応じて、バー表示領域３２０に表示される明視域表示バーが、単焦点レンズ用の明視域表示バー３２３から、遠近累進レンズ用の明視域表示バー３２５へ変更されている。また、バー表示領域３２０において、眼鏡レンズ装着者の視点から見た正面視の視野範囲を、眼鏡レンズをイメージした円形で表すものとして、第４の画像３２４に代えて第４の画像３２６が表示されている。加えて、レンズ情報変更部１１４により、入力欄３１５において加入度数が「０．００Ｄ」から「＋２．５０Ｄ」に変更されており、これにより、明視域表示バー３２５によって示される明視域の下限値が４０ｃｍに設定されている。一般的には、遠近累進レンズの場合、明視域の下限値が４０ｃｍとなるように、レンズ情報が処方されることが多いからである。
【００７３】
〔明視域表示装置１００による明視域表示バーの変更例（第２例）〕
図６は、本発明の一実施形態に係る明視域表示装置１００による明視域表示バーの変更例（第２例）を示す図である。図６（ａ）は、表示画面３００のバー表示領域３２０に表示された明視域表示バー３２３の変更前の状態を示している。図６（ｂ）は、表示画面３００のバー表示領域３２０に表示された明視域表示バー３２３の変更後の状態を示している。
【００７４】
図６（ａ）に示すように、レンズ種類として単焦点レンズが選択されている場合、ユーザが、タッチパネル１０１の操作により、明視域表示バー３２３の左端部をタップ操作に続いて右方向へスライド操作すると、明視域表示バー３２３は、図６（ｂ）に示すように、全幅が変更されることなく、全体的に右方向へ移動する。この場合、レンズ情報変更部１１４によって、レンズ情報が移動後の明視域表示バー３２３が示す明視域に対応するものとなるように、レンズ情報の処方度数が変更される。
【００７５】
例えば、図６に示す例では、ユーザによるタッチパネル１０１の操作により、明視域表示バー３２３の左端が∞ｃｍから２００ｃｍになるように、明視域表示バー３２３が全体的に右方向へ移動されている。これにより、レンズ情報変更部１１４によって、変更後の明視域表示バー３２３の遠距離域側の端部の位置（２００ｃｍ）と、入力情報記憶部１１０に記憶されている視力情報の裸眼度数（−２．００Ｄ）とに応じて処方度数が変更され、情報入力領域３１０の入力欄３１３において、レンズ情報の処方度数が「−２．００Ｄ」から「−１．５０」に変更されている。このとき、加入度数は変更されない。
【００７６】
〔明視域表示装置１００による明視域表示バーの変更例（第３例）〕
図７は、本発明の一実施形態に係る明視域表示装置１００による明視域表示バーの変更例（第３例）を示す図である。図７（ａ）は、表示画面３００のバー表示領域３２０に表示された明視域表示バー３２３の変更前の状態を示している。図７（ｂ）は、表示画面３００のバー表示領域３２０に表示された明視域表示バー３２３の変更後の状態を示している。
【００７７】
図７（ａ）に示すように、レンズ種類として単焦点レンズが選択されている場合、ユーザが、タッチパネル１０１の操作により、明視域表示バー３２３の右端部をタップ操作に続いて右方向へスライド操作すると、明視域表示バー３２３は、図７（ｂ）に示すように、全幅が変更されることなく、全体的に右方向へ移動する。この場合、レンズ情報変更部１１４によって、レンズ情報が移動後の明視域表示バー３２３が示す明視域に対応するものとなるように、レンズ情報の加入度数が変更される。
【００７８】
例えば、図７に示す例では、ユーザによるタッチパネル１０１の操作により、明視域表示バー３２３の右端がおよそ８０ｃｍからおよそ６０ｃｍになるように、明視域表示バー３２３が全体的に右方向へ移動されている。これにより、レンズ情報変更部１１４によって、変更後の明視域表示バー３２３の近距離域側の端部の位置（およそ６０ｃｍ）および遠距離域側の端部の位置（２００ｃｍ）と、入力情報記憶部１１０に記憶されている視力情報の裸眼度数（「−２．００Ｄ」）とに応じて加入度数が変更され、情報入力領域３１０の入力欄３１５において、レンズ情報の加入度数が「０．００Ｄ」から「＋０．５０Ｄ」に変更されている。このとき、処方度数は変更されない。
【００７９】
このように、本実施形態の明視域表示装置１００は、ユーザのタッチパネル１０１の操作による明視域表示バーの直観的な操作により、明視域表示バーが示す明視域を、ユーザが所望する距離範囲を有するものへと容易に変更することができる。そして、情報入力領域３１０に表示されるレンズ情報を、変更後の明視域に対応するレンズ情報へと、自動的に変更して、ユーザに提示することができる。その際、タップ操作を行う位置により、変更したいレンズ情報（処方度数または加入度数）の選択を容易に行うことができる。これにより、ユーザにあった眼鏡レンズの提案を、容易且つ視覚的に行うことができる。
【００８０】
なお、図５〜図７の例において、図示は省略するが、レンズ情報が変更されたことに連動して、明視域算出部１１２により、当該変更後のレンズ情報に基づいて明視域が再算出される。また、図５の例においては、明視域表示部１１３により、バー表示領域３２０に表示される明視域表示バーが、再算出された明視域に対応するものへと自動的に変更される。さらに、図５〜図７の例において、明視域表示部１１３により、第１画像表示領域３３０，第２画像表示領域３４０，第３画像表示領域３５０（図３参照）に表示される第１の画像，第２の画像，第３の画像、およびバー表示領域３２０に表示される第４の画像が、再算出された明視域に対応するものへと自動的に変更される。これにより、ユーザは、変更後のレンズ情報にかかる眼鏡レンズの明視域を、容易且つ視覚的に把握することができる。
【００８１】
〔複数の明視域表示バーの表示例〕
図８は、本発明の一実施形態に係る明視域表示装置１００による複数の明視域表示バーの表示例を示す図である。図８に示す表示画面８００は、情報入力領域３１０に複数のレンズ情報および視力情報の組み合わせの入力ができるようになっている。明視域表示装置１００では、ユーザがタッチパネル１０１により所定の操作を行うことで、図３に示すように、明視域表示バーとともに第１〜第３の画像を表示する表示モードと、図８に示すように、明視域表示バーとともに複数の入力情報を表示する表示モードとを切り替えることができるようになっている。図８に示す例では、情報入力領域３１０において、３つのレンズ情報および視力情報の組み合わせが入力されている。これに応じて、バー表示領域３２０において、３つの明視域表示バー８０１，８０２，８０３と、３つの第４の画像８２１，８２２，８２３とが表示されている。図８に例示する３つのレンズ情報および視力情報の組み合わせでは、レンズ種類が互いに異なり、その他（年齢／調節力、裸眼度数、処方度数および加入度数）については互いに同一である。
【００８２】
バー表示領域３２０の１行目（「SCENE1」と示された行）に表示されている明視域表示バー８０１は、情報入力領域３１０の１行目（「SCENE1」と示された行）に入力されたレンズ情報および視力情報に基づいて、明視域算出部１１２によって算出された明視域の距離範囲を表すものである。また、明視域表示バー８０１の隣（同列上）に表示されている第４の画像８２１は、明視域表示バー８０１が示す眼鏡レンズの明視域に関する、眼鏡レンズ装着者の視点から見た正面視の視野範囲を簡易的に表すものである。第４の画像８２１は、明視域表示バー８０１の遠距離域，中距離域，近距離域と同じ表示色により、遠距離域，中距離域，近距離域が識別可能に区別されて表示されている。
【００８３】
バー表示領域３２０の２行目（「SCENE2」と示された行）に表示されている明視域表示バー８０２は、情報入力領域３１０の２行目（「SCENE2」と示された行）に入力されたレンズ情報および視力情報に基づいて、明視域算出部１１２によって算出された明視域の距離範囲を表すものである。また、明視域表示バー８０２の隣（同列上）に表示されている第４の画像８２２は、明視域表示バー８０２が示す眼鏡レンズの明視域に関する、眼鏡レンズ装着者の視点から見た正面視の視野範囲を簡易的に表すものである。第４の画像８２２は、明視域表示バー８０２の遠距離域，中距離域，近距離域と同じ表示色により、遠距離域，中距離域，近距離域が識別可能に区別されて表示されている。
【００８４】
バー表示領域３２０の３行目（「SCENE3」と示された行）に表示されている明視域表示バー８０３は、情報入力領域３１０の３行目（「SCENE3」と示された行）に入力されたレンズ情報および視力情報に基づいて、明視域算出部１１２によって算出された明視域の距離範囲を表すものである。また、明視域表示バー８０３の隣（同列上）に表示されている第４の画像８２３は、明視域表示バー８０２が示す眼鏡レンズの明視域に関する、眼鏡レンズ装着者の視点から見た正面視の視野範囲を簡易的に表すものである。第４の画像８２３は、明視域表示バー８０３の遠距離域，中距離域，近距離域と同じ表示色により、遠距離域，中距離域，近距離域が識別可能に区別されて表示されている。
【００８５】
図８に示す、３つの明視域表示バー８０１，８０２，８０３は、レンズ種類以外のレンズ情報および視力情報（年齢／調節力、裸眼度数、加入度数および処方度数）が互いに同一であるために、明視域の全体の距離範囲が、互いに同一の３３〜∞ｃｍとなっている。一方、３つの明視域表示バー８０１，８０２，８０３は、レンズ種類が互いに異なるために、中距離域の距離範囲が互いに異なっている。
【００８６】
例えば、レンズ種類に「遠近累進レンズ」が入力された明視域表示バー８０１は、中距離域の距離範囲が、４０〜２００ｃｍである。また、レンズ種類に「中近累進レンズ（中間重視）」が入力された明視域表示バー８０２は、中距離域の距離範囲が、４０〜１３０ｃｍである。また、レンズ種類に「中近累進レンズ（近用重視）」が入力された明視域表示バー８０２は、中距離域の距離範囲が、４０〜１００ｃｍである。
【００８７】
また、情報入力領域３１０に入力された３つのレンズ情報において、レンズ種類が互いに異なることにより、３つの第４の画像８２１，８２２，８２３において、眼鏡レンズ装着者の視点から見た正面視の視野範囲が互いに異なっている。
【００８８】
例えば、第４の画像８２１は、「遠近累進レンズ」が選択された眼鏡レンズの明視域を表すものであるため、遠距離域の横幅が最も広くなっている。また、目のマークが表示されている位置（すなわち、眼鏡レンズ装着者が正面をまっすぐ見たときにピントが合う距離域）が、遠距離域となっている。
【００８９】
また、第４の画像８２２は、「中近累進レンズ（中間重視）」が選択された眼鏡レンズの明視域を表すものであるため、第４の画像８２１よりも遠距離域の横幅が狭くなっている。また、目のマークが表示されている位置が、中距離域となっている。
【００９０】
また、第４の画像８２３は、「中近累進レンズ（近用重視）」が選択された眼鏡レンズの明視域を表すものであるため、第４の画像８２２よりも遠距離域の横幅がさらに狭くなっている。また、目のマークが表示されている位置が、中距離域となっている。
【００９１】
このように、本実施形態の明視域表示装置１００は、複数のレンズ情報および視力情報の組み合わせの入力を受け付けることで、複数の組み合わせに対応する複数の眼鏡レンズの明視域表示バーを、同一画面上に並べて表示することができる。これにより、ユーザは、複数の眼鏡レンズの明視域の距離範囲の比較を、容易且つ視覚的に行うことができる。特に、本実施形態の明視域表示装置１００は、レンズ種類に応じて、中距離域の距離範囲が異なる明視域を算出することができるため、ユーザは、レンズ種類が変わると中距離域の距離範囲がどのように変化するかを、容易且つ視覚的に比較することができる。さらに、第４の画像８２１〜８２３により、第１〜第３の画像が表示されていない表示モード（図８参照）であっても、複数の眼鏡レンズの各々について、眼鏡レンズ装着者の視点から見た正面視の視野範囲や、眼鏡レンズ装着者が正面をまっすぐ見たときにピントが合う距離域を、容易且つ視覚的に把握することができる。
【００９２】
なお、図８に示す表示画面８００では、３つの明視域表示バー８０１，８０２，８０３のいずれかを、ユーザがタッチパネル１０１の操作により選択できるようになっている。そして、いずれかの明視域表示バーが選択されると、その明視域表示バーとともに、その明視域表示バーに対応する眼鏡レンズの明視域に関する第１〜第３の画像を、同一の表示画面上に表示できるようになっている（図９および図１０参照）。
【００９３】
〔第１〜第３画像の表示変更例〕
図９および図１０は、本発明の一実施形態に係る明視域表示装置１００による第１〜第３画像の表示変更例を示す図である。
【００９４】
図９に示す表示画面９００は、図８に示す表示画面８００において、３つの明視域表示バー８０１〜８０３のうちの、明視域表示バー８０１が選択された場合に表示される。この明視域表示バー８０１は、近距離域の距離範囲を３３〜４０ｃｍとし、中距離域の距離範囲を４０〜２００ｃｍとし、遠距離域の距離範囲を２００〜∞ｃｍとする眼鏡レンズに関するものである。これに応じて、表示画面９００では、第１の画像，第２の画像，第３の画像のいずれも、近距離域の距離範囲、中距離域の距離範囲、遠距離域の距離範囲が、それぞれ、３３〜４０ｃｍ、４０〜２００ｃｍ、２００〜∞ｃｍを表すものとなっている。
【００９５】
一方、図１０に示す表示画面１０００は、図８に示す表示画面８００において、３つの明視域表示バー８０１〜８０３のうちの、明視域表示バー８０２が選択された場合に表示される。この明視域表示バー８０２は、近距離域の距離範囲を３３〜４０ｃｍとし、中距離域の距離範囲を４０〜１３０ｃｍとし、遠距離域の距離範囲を１３０〜∞ｃｍとする眼鏡レンズに関するものである。これに応じて、表示画面１０００では、第１の画像，第２の画像，第３の画像のいずれも、近距離域の距離範囲、中距離域の距離範囲、遠距離域の距離範囲が、それぞれ、３３〜４０ｃｍ、４０〜１３０ｃｍ、１３０〜∞ｃｍを表すものとなっている。
【００９６】
このように、本実施形態の明視域表示装置１００は、対象とする眼鏡レンズの選択を切り替えることにより、第１画像表示領域３３０，第２画像表示領域３４０，第３画像表示領域３５０に表示させる第１の画像，第２の画像，第３の画像を、選択された眼鏡レンズに対応するものに切り替えて表示することができる。これにより、ユーザは、複数の眼鏡レンズで明視域がどのように変化するかを、容易且つ視覚的に比較することができる。
【００９７】
〔明視域表示装置１００による明視域表示バーの変更例（第４例）〕
図１１は、本発明の一実施形態に係る明視域表示装置１００による明視域表示バーの変更例（第４例）を示す図である。図１１（ａ）は、明視域表示バー８０１（図８参照）の変更前の状態を示している。図１１（ｂ）は、明視域表示バー８０１の変更後の状態を示している。明視域表示バー８０１は、レンズ種類が「遠近累進レンズ」である眼鏡レンズの明視域を表すものである。明視域表示バー８０１は、遠距離域８０１Ａ、中距離域８０１Ｂおよび近距離域８０１Ｃを有して構成されている。
【００９８】
明視域表示バー８０１は、遠近累進レンズの明視域を表すものであるため、スライド操作によって全幅を変更することが可能である。例えば、図１１（ａ）に示すように、ユーザが、タッチパネル１０１により、明視域表示バー８０１の右端部をタップ操作した後に左方向へスライド操作すると、明視域表示バー８０１は、左端の位置が固定されたまま、右端の位置が左方向へ移動する。これにより、図１１（ｂ）に示すように、明視域表示バー８０１は、変更前と比べて全幅が短くなる。このとき、明視域表示バー８０１は、遠近累進レンズであるため、全幅を変更しても、遠距離域８０１Ａおよび近距離域８０１Ｃの幅は変更されず、中距離域８０１Ｂの幅のみが変更される。
【００９９】
〔明視域表示装置１００による明視域表示バーの変更例（第５例）〕
図１２は、本発明の一実施形態に係る明視域表示装置１００による明視域表示バーの変更例（第５例）を示す図である。図１２（ａ）は、明視域表示バー８０２（図８参照）の変更前の状態を示している。図１２（ｂ）は、明視域表示バー８０２の変更後の状態を示している。明視域表示バー８０２は、レンズ種類が「中近累進レンズ」である眼鏡レンズの明視域を表すものである。明視域表示バー８０２は、遠距離域８０２Ａ、中距離域８０２Ｂおよび近距離域８０２Ｃを有して構成されている。
【０１００】
明視域表示バー８０２は、中近累進レンズの明視域を表すものであるため、スライド操作によって全幅を変更することが可能である。例えば、図１２（ａ）に示すように、ユーザが、タッチパネル１０１により、明視域表示バー８０２の右端部をタップ操作した後に左方向へスライド操作すると、明視域表示バー８０２は、左端の位置が固定されたまま、右端の位置が左方向へ移動する。これにより、図１２（ｂ）に示すように、明視域表示バー８０２は、変更前と比べて全幅が短くなる。このとき、明視域表示バー８０２は、中近累進レンズであるため、全幅を変更しても、中距離域８０２Ｂの幅は変更されず、遠距離域８０２Ａおよび近距離域８０２Ｃの幅が変更される。
【０１０１】
このように、明視域表示バーの全幅が変更されることによって、明視域表示バーが示す明視域の距離範囲が変更されると、レンズ情報変更部１１４によって、その明視域表示バーに対応するレンズ情報が、変更後の距離範囲に対応するものに変更される。そして、明視域算出部１１２により、変更後のレンズ情報に基づいて明視域が再算出される。さらに、明視域表示部１１３により、第１画像表示領域３３０，第２画像表示領域３４０，第３画像表示領域３５０（図８〜１１参照）の各々に表示される、第１の画像，第２の画像，第３の画像の各々が、再算出された明視域を表すものへと自動的に変更される。また、明視域表示部１１３により、バー表示領域３２０に表示される第４の画像も、再算出された明視域を表すものへと自動的に変更される。
【０１０２】
なお、上記実施形態では、明視域表示バー、第１の画像、第２の画像、第３の画像、第４の画像のそれぞれについて、各距離域の表示色を異ならせることで各距離域を区別して表示するようにしているが、本発明はこれに限らない。例えば、各距離域の模様を異ならせることで各距離域を区別して表示するようにしてもよい。
【０１０３】
また、累進レンズが選択されている場合であっても、明視域表示バー、第１の画像、第２の画像、第３の画像、第４の画像のそれぞれについて、各距離域を区別せずに表示するようにしてもよい。この場合であっても、これら複数の画像により、少なくとも明視域の全体の視野範囲を、容易且つ視覚的に把握することができる。但し、各距離域を区別して表示することで、全ての距離域を容易且つ視覚的に把握することができるようになる点で好ましい。
【０１０４】
また、第１画像表示領域３３０に表示される背景画像において、第１の画像が示す明視域の範囲外となる部分を、ぼやかして表示するようにしてもよい。これにより、眼鏡レンズ装着者の視点から正面視したときの見え方を、実際の見え方により近づけることができる。
【０１０５】
その他、上記各実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【０１０６】
１００  明視域表示装置
１０１  タッチパネル
１０２  ディスプレイ
１１０  入力情報記憶部
１１１  入力受付部
１１２  明視域算出部
１１３  明視域表示部
１１３ａ  バー表示部
１１３ｂ  第１の画像表示部
１１３ｃ  第２の画像表示部
１１３ｄ  第３の画像表示部
１１３ｅ  第４の画像表示部
１１４  レンズ情報変更部
【図１】
2017198806.tif 000003
【図２】
2017198806.tif 000004
【図３】
2017198806.tif 000005
【図４】
2017198806.tif 000006
【図５】
2017198806.tif 000007
【図６】
2017198806.tif 000008
【図７】
2017198806.tif 000009
【図８】
2017198806.tif 000010
【図９】
2017198806.tif 000011
【図１０】
2017198806.tif 000012
【図１１】
2017198806.tif 000013
【図１２】
2017198806.tif 000014